(57)【要約】【目的】係止部材が隙間なく床面に形成した係止凹部に嵌め込まれ、扉ががたつくことなく確実に所定位置で固定され、しかも操作が簡単で確実である。【構成】係止部材７の昇降の際、周面７２に形成した螺旋条７３がケース４に形成したガイド５０に沿って係止部材７を軸心を中心として回転させることにより、断面が非円形である先端部７１が係止凹部９１に回転しながら侵入、退出し、また係止部材７の昇降完了時に弾性係止片５２が上下の係止溝４５、４５に係止する。【選択図】　　　図２
2004027827.tif 000002
【特許請求の範囲】
【請求項１】
扉体における縦框の下部に埋め込まれるケースの内部に摺動部材が昇降可能に嵌装されるとともに、前記摺動部材の下端に棒状の係止部材が連結棒を介して軸心を中心として回転可能に垂設されるフランス落としにおいて、前記ケースの側壁内面の上下２カ所に係止溝が、また前記摺動部材の側壁外面に前記係止溝に係止する弾性係止片がそれぞれ設けられ、さらに前記係止部材の少なくとも先端部が断面において非円形に形成されているとともに周面に軸線方向へ延びる螺旋条が形成されており、且つ前記ケースに前記係止部材を上下に移動させたときに前記螺旋条に嵌合してこの係止部材を軸心を中心として回転させるためのガイドが設けられ、更に床面に、少なくとも侵入時には前記先端部が挿入可能な非円形のの係止凹部が形成され、前記先端部が侵入後前記係止部材の回転により回転して前記係止凹部の壁面に圧接すると同時に前記摺動部材の弾性係止片が前記ケースの上側の係止溝に係止することを特徴とするフランス落とし。
【発明の詳細な説明】
【０００１】
【産業上の利用分野】
本発明はフランス落としに関するものである。
【０００２】
【従来の技術】
従来、例えば両開扉や、仕切扉などのようににおいて扉を所定の位置に固定しておく手段としてフランス落としが用いられている。
【０００３】
このフランス落としは扉体における縦框の下部に埋め込まれるケースに、例えば丸棒、或いは角棒状の係止部材が昇降可能に配置された構成を有し、下降させた係止部材が床面の所定位置に設けられた係止凹部に嵌入させて扉体を所定位置に固定させるものである。
【０００４】
ところが、前記従来のフランス落としにおいては、係止部材を容易に係止凹部に嵌入させる目的で、係止凹部が係止部材の外形よりも僅かに大きく形成されている。
【０００５】
従って、係止凹部に係止部材を差込んだときに両者の間に隙間が生じ、扉が、がたつくという問題がある。
【０００６】
【発明が解決しようとする課題】
本発明が解決しようとする課題は、従来のフランス落としは、係止部材を床面に設けた係止凹部に嵌め込んだ際に、両者の間に隙間が形成されるために扉を確実に固定することができない、という点である。
【０００７】
【課題を解決するための手段】
本発明は従来のフランス落としが有する課題を解決するためになされたものであって、扉体における縦框の下部に埋め込まれるケースの内部に摺動部材が昇降可能に嵌装されるとともに、前記摺動部材の下端に棒状の係止部材が連結棒を介して軸心を中心として回転可能に垂設されるフランス落としにおいて、前記ケースの側壁内面の上下２カ所に係止溝が、また前記摺動部材の側壁外面に前記係止溝に係止する弾性係止片がそれぞれ設けられ、さらに前記係止部材の少なくとも先端部が断面において非円形に形成されているとともに周面に軸線方向へ延びる螺旋条が形成されており、且つ前記ケースに前記係止部材を上下に移動させたときに前記螺旋条に嵌合してこの係止部材を軸心を中心として回転させるためのガイドが設けられ、更に床面に、少なくとも侵入時には前記先端部が挿入可能な非円形のの係止凹部が形成され、前記先端部が侵入後前記係止部材の回転により回転して前記係止凹部の壁面に圧接すると同時に前記摺動部材の弾性係止片が前記ケースの上側の係止溝に係止するものとした。
【０００８】
【作用】
係止部材を下降させると、周面に形成した軸線方向へ延びる螺旋条がケースに形成したガイドに沿って係止部材を軸心を中心として回転させる。
そして、前記係止部材の断面非円形に形成されている先端部が、床面に設けられた止座の係止凹部に回転しながら嵌入することにより、係止部材の先端部が係止凹部の壁面に圧接する。
このとき、摺動部材の側壁に設けられた弾性係止片がケースの側壁の内面に設けられた下側の係止溝に係止する。
【０００９】
また係止部材を上昇させると、前記螺旋条が前記ガイドに沿って係止部材を軸心を中心として下降時と反対方向に回転させ、その回転力により係止凹部の壁面に圧接されている前記係止部材の先端部が、圧接を解かれて回転しながら上昇する。
そして、摺動部材の側壁に設けられた弾性係止片がケースの側壁の内面に設けられた上側の係止溝に係止する。
【００１０】
【実施例】
次に本発明の実施例を図面に基づいて説明する。
【００１１】
図面は本発明の一実施例を示すものであり、フランス落とし１は、扉体２における縦框３の下部に埋め込まれるケース４と、このケース４の内部に昇降可能に配置された摺動部材５と、この摺動部材５の下端に連結棒６を介して垂設される棒状の係止部材７とから構成される。
【００１２】
そして、ケース４は例えば硬質合成樹脂により裏面を開口した中空に形成され、上端ならびに中央部下方に止ねじ８の通孔を形成した筒体４１ならびに４２，４２が一体に形成されており、これらの筒体４１ならびに４２，４２によって囲まれる凹部４３に所定の長さを有する摺動部材５が摺動可能に嵌装されている。
【００１３】
殊に、摺動部材５の側壁５１，５１には、ケース４の側壁４４、４４の内面に上下２ケ所に亙って設けられた係止溝４５、４５に係止する弾性係止片５２，５２が設けられている。
【００１４】
また、ケース４の前板４６には前記摺動部材５の前面５３に突設させた操作片５４を所定の昇降距離に亙って露出させるための縦長の窓孔４７が形成されている。
【００１５】
更に、摺動部材５の下端に連結棒６を介して垂設される係止部材７は棒状で、先端部７１が断面において非円形に形成されているとともに周面７２に軸線方向へ延びる溝状の螺旋条７３が先端から後端に亘って形成されている。
【００１６】
更にまた、ケース４の底板４８には前記係止部材７の挿通孔４９が形成されており、この挿通孔４９には係止部材７の周面７２に形成されている螺旋条７３に嵌合する突起状のガイド５０が形成されている。
【００１７】
従って、前記操作片５４を引き上げあるいは押し下げると、係止部材７の周面７２に形成されている螺旋条７３がガイド５０によって案内され、係止部材７が軸心を中心として回転しながら昇降する。
【００１８】
一方、図面中、符号９は、床面１０に配置されて前記係止部材７を係止するための止座であり、中央に係止凹部９１が形成されている。
【００１９】
この係止凹部９１は、平面が、断面において非円形に形成されている前記係止部材７の先端部７１が螺入したときに、先端部７１の側面７４が圧接する形状の壁面（または端面）９２を有している。
【００２０】
かかる構成を有する本実施例は、図示するように従来のフランス落としと同様に、扉２における縦框３の下部に形成された堀込溝３１にケース４の前面４１を縦框３の表面と面一に埋め込み、止ねじ８により固定するとともに、床面１０の一つまたは複数の所定位置に止座９を埋め込み固定する。
【００２１】
そして、扉２を開閉操作する場合には操作片５４を上昇させて係止部材７をケース４内に没入させた状態とする。
【００２２】
また、扉２を所定の開閉位置で固定させたい場合には、操作片５４を押し下げて係止部材７をケース４から突出させて床面１０の所定位置に配置されている止座９の係止凹部９１に螺入、係止させればよい。
【００２３】
このとき、係止部材７は、その周面７２に形成されている螺旋条７３がケース４に配置されているガイド５０によって案内され、係止部材７が軸心を中心として回転しながら下降する。
【００２４】
従って、係止部材７の断面が非円形に形成されている先端部７１が、止座９の係止凹部９１に回転しながら嵌入することになり、係止部材７は先端部７１が係止凹部９１の壁面９２に圧接することになり、係止部材７が止座９に確実に係止し、扉体２が、がたつくことなく所定の開閉位置に固定される。
【００２５】
このとき、摺動部材５の側壁５１に設けられた弾性係止片５２がケース４の側壁４４、４４の内面に設けられた下側の係止溝４５に係止する。
【００２６】
そのため、係止部材７が所定位置まで降下して止座９に確実に係止していることを触覚ならびに係止音により確認することが可能であるとともに、係止部材７の上下の動きが規制されて扉２が確実に固定される。
【００２７】
また、扉２を再び開閉させたい場合には、操作片５４を引き上げて係止部材７を止座９から抜脱させてケース４内に没入させればよい。
【００２８】
このとき、係止部材７は、その周面７２に形成されている螺旋条７３がケース４に配置されているガイド５０によって案内され、係止部材７が軸心を中心として回転しながら上昇するので係止部材７と止座９との係止状態が簡単に解除され、係止部材７は元のケース４内に没入した状態にきわめて簡単に復帰する。
【００２９】
この場合に、摺動部材５の側壁５１に設けられた弾性係止片５２がケース４の側壁４４、４４の内面に設けられた上側の係止溝４５に係止する。
【００３０】
そのため、のケース４内に没入した係止部材７が扉体２の底面２１から突出して扉体２の開閉を妨げる心配がない。
【００３１】
尚、本実施例では、係止部材７に溝状の螺旋条７３を形成し、ケース４の底板４８に突起状のガイド５０を形成した構成としたが、螺旋条７３を突条とし、ガイド５０を溝状に形成してもよい。
【００３２】
【発明の効果】
以上の構成を有する本発明によると、係止部材を昇降させたとき、その係止部材が軸心を中心として回転しながら昇降するので、下降時には係止部材の断面非円形に形成されている先端部が、床面に設けられた止座の係止凹部に回転しながら嵌入することにより、係止凹部の壁面に圧接され、確実に係止されることとなり、扉体が、がたつくことなく所定の開閉位置に固定される。
またこのとき、摺動部材の側壁に設けられた弾性係止片がケースの側壁の内面に設けられた下側の係止溝に係止するため、係止部材が所定位置まで降下して係止凹部に確実に係止していることを触覚ならびに係止音により確認することが可能であるとともに、係止部材の上下の動きが規制されて扉が確実に固定される。そして係止部材の先端部の係止凹部への係止を解除して扉を開閉させたい場合には、係止部材を上昇させれば容易に解除される。
またこの時、前記弾性係止片がケースの側壁の内面に設けられた上側の係止溝に係止するため、ケース内に没入した係止部材が扉体の底面から不用意に突出して扉体の開閉を妨げる心配がない。この際にも係止部材が所定位置まで上昇してケース内に没入していることを、前記弾性係止片の係止溝への係止を触覚ならびに係止音を認識することにより確認することが可能である。
しかもこれらの係止及び解除の作業は、係止部材を押し下げ、あるいは引き上げるという操作のみで行なわれ、簡単であるとともに力を加え易く、極めて作業効率の良いフランス落としとなっている。
【図面の簡単な説明】
【図１】本発明の一実施例の使用状態を示す斜視図である。
【図２】図１のＹ−Ｙ線に沿う一部を拡大して示した断面図である。
【図３】図１の異なる状態におけるＹ−Ｙ線に沿う断面図である。
【図４】図２のＸ−Ｘ線に沿う断面図である。
【符号の説明】
１　フランス落とし
２　扉体
３　縦框
４　ケース
７　係止部材
７１　先端部
７２　周面
７３　螺旋条
５０　ガイド
【図１】
2004027827.tif 000003
【図２】
2004027827.tif 000004
【図３】
2004027827.tif 000005
【図４】
2004027827.tif 000006